(57)【特許請求の範囲】
【請求項１】
無線送受信ユニット（ＷＴＲＵ）によって実施する、情報を処理する方法において、
前記ＷＴＲＵの物理ランダムアクセスチャネル（ＰＲＡＣＨ）動作のための、情報要素として定義された複数のパラメータとして前記情報を受信するステップと、
前記受信されたパラメータを処理して、ＰＲＡＣＨ動作を実行するステップであって、前記情報要素は、ランダムアクセスチャネル（ＲＡＣＨ）応答ウィンドウサイズおよびＰＲＡＣＨ周波数位置情報を含むＰＲＡＣＨシステム情報を含んでおり、前記ＲＡＣＨ応答ウィンドウサイズはサブフレームの数として与えられる、ステップと
を備えることを特徴とする方法。
【請求項２】
前記ＷＴＲＵへ送られた１つ以上の応答は、前記ＲＡＣＨ応答ウィンドウ上で前記ＷＴＲＵによって受信されることを特徴とする請求項１に記載の方法。
【請求項３】
前記ＰＲＡＣＨシステム情報は、物理ダウンリンク制御チャンル（ＰＤＣＣＨ）情報およびＲＡ−ＲＮＴＩ情報をさらに含むことを特徴とする請求項１に記載の方法。
【請求項４】
前記ＰＲＡＣＨシステム情報は、ＰＲＡＣＨバーストタイプ情報、チャネル符号化パラメータ、ＰＲＡＣＨバーストタイプパラメータまたはＰＲＡＣＨフレーム構造パラメータの内の少なくとも１つを含むことを特徴とする請求項１に記載の方法。
【請求項５】
前記ＲＡ−ＲＮＴＩ情報は、ＲＡ−ＲＮＴＩコード、バースト開始サブフレーム番号または次バースト間隔の内の少なくとも１つを含むことを特徴とする請求項３に記載の方法。
【請求項６】
情報を処理するよう構成された無線送受信ユニット（ＷＴＲＵ）において、
前記ＷＴＲＵの物理ランダムアクセスチャネル（ＰＲＡＣＨ）動作のための、情報要素として定義された複数のパラメータとして前記情報を受信するよう構成された受信機と、
前記受信されたパラメータを処理して、ＰＲＡＣＨ動作を実行するよう構成されたプロセッサであって、前記情報要素は、ランダムアクセスチャネル（ＲＡＣＨ）応答ウィンドウサイズおよびＰＲＡＣＨ周波数位置情報を含むＰＲＡＣＨシステム情報を含んでおり、前記ＲＡＣＨ応答ウィンドウサイズはサブフレームの数として与えられる、プロセッサと
を備えたことを特徴とするＷＴＲＵ。
【請求項７】
前記ＷＴＲＵへ送られた１つ以上の応答は、前記ＲＡＣＨ応答ウィンドウ上で前記ＷＴＲＵによって受信されることを特徴とする請求項６に記載のＷＴＲＵ。
【請求項８】
前記ＰＲＡＣＨシステム情報は、物理ダウンリンク制御チャンル（ＰＤＣＣＨ）情報およびＲＡ−ＲＮＴＩ情報をさらに含むことを特徴とする請求項６に記載のＷＴＲＵ。
【請求項９】
前記ＰＲＡＣＨシステム情報は、ＰＲＡＣＨバーストタイプ情報、チャネル符号化パラメータ、ＰＲＡＣＨバーストタイプパラメータまたはＰＲＡＣＨフレーム構造パラメータの内の少なくとも１つを含むことを特徴とする請求項６に記載のＷＴＲＵ。
【請求項１０】
前記ＲＡ−ＲＮＴＩ情報は、ＲＡ−ＲＮＴＩコード、バースト開始サブフレーム番号または次バースト間隔の内の少なくとも１つを含むことを特徴とする請求項８に記載のＷＴＲＵ。
【請求項１１】
複数のパラメータを決定して、物理ランダムアクセスチャネル（ＰＲＡＣＨ）動作を実行するように構成されたプロセッサであって、前記複数のパラメータは、ランダムアクセスチャネル（ＲＡＣＨ）応答ウィンドウサイズおよびＰＲＡＣＨ周波数位置情報を含むＰＲＡＣＨシステム情報を含んでおり、前記ＲＡＣＨ応答ウィンドウサイズはサブフレームの数として与えられる、プロセッサと、
無線送受信ユニット（ＷＴＲＵ）のＰＲＡＣＨ動作のための、情報要素として定義された前記複数のパラメータを送信するよう構成された送信機と
を備えたことを特徴とする進化型ノードＢ（ｅＮＢ）。
【請求項１２】
前記ｅＮＢから送られた１つ以上の応答は、前記ＲＡＣＨ応答ウィンドウ上で前記ＷＴＲＵによって受信されることを特徴とする請求項１１に記載のｅＮＢ。
【請求項１３】
前記ＰＲＡＣＨシステム情報は、物理ダウンリンク制御チャンル（ＰＤＣＣＨ）情報およびＲＡ−ＲＮＴＩ情報をさらに含むことを特徴とする請求項１１に記載のｅＮＢ。
【請求項１４】
前記ＰＲＡＣＨシステム情報は、ＰＲＡＣＨバーストタイプ情報、チャネル符号化パラメータ、ＰＲＡＣＨバーストタイプパラメータまたはＰＲＡＣＨフレーム構造パラメータの内の少なくとも１つを含むことを特徴とする請求項１１に記載のｅＮＢ。
【請求項１５】
前記ＲＡ−ＲＮＴＩ情報は、ＲＡ−ＲＮＴＩコード、バースト開始サブフレーム番号または次バースト間隔の内の少なくとも１つを含むことを特徴とする請求項１３に記載のｅＮＢ。
【発明の詳細な説明】
【背景技術】
【０００１】
本発明は、無線通信に関する。
【０００２】
第３世代パートナシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）は、改善されたスペクトル効率およびより迅速感のあるユーザ体験を提供するために、新しい技術、新しいネットワークアーキテクチャ、新しい構成、ならびに新しいアプリケーションおよびサービスを無線セルラネットワークに持ち込む、ロングタームエボリューション（ＬＴＥ：Ｌｏｎｇ  Ｔｅｒｍ  Ｅｖｏｌｕｔｉｏｎ）プログラムを開始した。
【０００３】
無線送受信ユニット（ＷＴＲＵ）が、スリープ、呼出サイクル監視、セル再選択、またはランダムアクセスチャネル（ＲＡＣＨ：ｒａｎｄｏｍ  ａｃｃｅｓｓ  ｃｈａｎｎｅｌ）の使用に関する様々な手順を実行できるように、ネットワークは一般に、多数のパラメータをシステム情報メッセージに収容してＷＴＲＵに通知する。削減近隣セルリスト（ｒｅｄｕｃｅｄ  ｎｅｉｇｈｂｏｒ  ｃｅｌｌ  ｌｉｓｔ）、測定レポーティング、およびハンドオーバパラメータを含むが、それらに限定されない、上記のパラメータのいくつかは、ＷＴＲＵがアクティブ状態にあるときにも使用することができる。スリープ、再選択、またはＲＡＣＨ手順のための手順および方法においてＷＴＲＵが使用できるように、すべての必要なパラメータをまとめ、それらをシステム情報メッセージに分類することが必要とされている。
【０００４】
コアネットワーク（ＣＮ：ｃｏｒｅ  ｎｅｔｗｏｒｋ）ドメインシステム情報内において、間欠受信（ＤＲＸ：ｄｉｓｃｏｎｔｉｎｕｏｕｓ  ｒｅｃｅｐｔｉｏｎ）についての情報は一般に、アイドルモードにおいて、情報要素（ＩＥ：ｉｎｆｏｒｍａｔｉｏｎ  ｅｌｅｍｅｎｔ）（例えばＣＮ＿ＤＲＸ＿ｃｙｃｌｅ＿ｌｅｎｇｔｈ＿ｃｏｅｆｆｉｃｉｅｎｔ）に収容してＷＴＲＵに通知される。
【発明の概要】
【発明が解決しようとする課題】
【０００５】
しかし、ＤＲＸは、アイドルモードばかりでなく、アクティブモードにおいても存在する。したがって、アクティブモードのためのＤＲＸサイクル長を通知することは有益である。
【０００６】
ＷＴＲＵは、セル上に長く留まる場合、１組の基準に従ってより良いセルを定期的に探索する。より良いセルが見つかった場合、そのセルが選択される。ＬＴＥ＿ＩｄｌｅとＬＴＥ＿ａｃｔｉｖｅの２つの状態しかもたないＬＴＥシステムでは、ＷＴＲＵは、ＬＴＥ＿Ｉｄｌｅ状態のときにだけ、セル再選択を実行することができる。ＷＴＲＵは、ＳＩＢ３、ＳＩＢ４、および／またはＳＩＢ１１などのシステム情報ブロック（ＳＩＢ：ｓｙｓｔｅｍ  ｉｎｆｏｒｍａｔｉｏｎ  ｂｌｏｃｋ）に収容して送信される以下のパラメータを含むが、それらに限定されない、システムからブロードキャストされるパラメータを使用する。
・Ｑhyst1s：ＲＳＣＰに基づいてサービングセル（ｓｅｒｖｉｎｇ  ｃｅｌｌ）をランク付けする際に使用される。
・Ｑhyst2s：Ｅｃ／Ｉｏに基づいてサービングセルをランク付けする際に使用される。
・Ｑqualmin：Ｅｃ／Ｉｏに基づいた最小必要品質尺度。
・Ｑrxlevmin：受信信号電力測定値（例えば受信信号符合電力（ＲＳＣＰ：ｒｅｃｅｉｖｅｄ  ｓｉｇｎａｌ  ｃｏｄｅ  ｐｏｗｅｒ））に基づいた最小必要品質尺度。
・ＤｅｌｔａQrxlevmin：（値Ｄｅｌｔａを条件とする）存在する場合、Ｑrxlevminの実際値は、Ｑrxlevmin＋ＤｅｌｔａQrxlevmin。
・ＵＥ＿ＴＸＰＷＲ＿ＭＡＸ＿ＲＡＣＨ：最大許容ＵＬ（アップリンク）ＴＸ電力。
・Ｓintrasrch（任意選択）：Ｓqual≦Ｓintrasearchである場合、周波数内（ｉｎｔｒａ−ｆｒｅｑｕｅｎｃｙ）近隣セル測定を行い、ここで、Ｓqualは、ＷＴＲＵによって測定された対応するセルの測定信号対干渉比マイナスＱqualminに基づいている。
・Ｓintersrch（任意選択）：Ｓqual≦Ｓintersearchである場合、周波数間（ｉｎｔｅｒ−ｆｒｅｑｕｅｎｃｙ）近隣セル測定を行う。
・ＳsearehHCS（任意選択）：Ｓqual≦ＳsearehHCSである場合、階層セル構造（ＨＣＳ）間（ｉｎｔｅｒ−Ｈｉｅｒａｒｃｈｉｃａｌ  Ｃｅｌｌ  Ｓｔｒｕｃｔｕｒｅ（ＨＣＳ））／周波数間近隣セル測定を行う。
・ＳHCS,RAT（任意選択）：Ｓqual≦ＳHCS,RATである場合、ＨＣＳ（階層セル構造）間／ＲＡＴ近隣セル測定を行う。
・Ｓlimit,SearchRAT（任意選択）：この閾値は、ＨＣＳが使用される場合に、セル再選択のための測定ルールにおいて使用される。この閾値は、それを上回った場合に、ＲＡＴ「ｍ」においてＵＥがいかなるＲＡＴ間（ｉｎｔｅｒ−ＲＡＴ）測定も実行しないことを選択できる、サービングＵＴＲＡセルにおけるＲＡＴ固有の閾値（ｄＢ単位）を指定する。
【課題を解決するための手段】
【０００７】
無線送受信ユニット（ＷＴＲＵ）は、システム情報ブロック（ＳＩＢ）または個別ＲＲＣ（無線リソース制御（ｒａｄｉｏ  ｒｅｓｏｕｒｃｅ  ｃｏｎｔｒｏｌ））メッセージ信号の形式をとる、間欠受信（ＤＲＸ）情報、セル再選択情報、およびランダムアクセスチャネル（ＲＡＣＨ）情報などのシステムレベル情報を受信するように構成される。ＷＴＲＵは、自律的に、受信パラメータを処理し、スリープモード、セル再選択、およびＲＡＣＨシグネチャ使用に関するその挙動を変更する。
【発明の効果】
【０００８】
本発明により、新たな間欠受信、セル再選択、およびＲＡＣＨのためのシステムレベル情報が提供される。
【図面の簡単な説明】
【０００９】
【図１】進化型ノードＢ（ｅｖｏｌｖｅｄ  Ｎｏｄｅ−Ｂ）からシステムレベル情報を受信する無線送受信ユニットのためのプロトコルレイヤスタック構成を示す図である。
【図２】間欠受信（ＤＲＸ）サイクルを示す図である。
【発明を実施するための形態】
【００１０】
「無線送受信ユニット（ＷＴＲＵ）」という用語は、これ以降で言及される場合、ユーザ機器（ＵＥ）、移動局、固定もしくは移動加入者ユニット、ページャ、セルラ電話、ＰＤＡ（携帯情報端末）、コンピュータ、または無線環境において動作可能な他の任意のタイプのユーザデバイスを含むが、それらに限定されない。「基地局」という用語は、これ以降で言及される場合、ノードＢ、サイトコントローラ、アクセスポイント（ＡＰ）または無線環境において動作可能な他の任意のタイプのインタフェースデバイスを含むが、それらに限定されない。
【００１１】
図１は、プロトコルレイヤスタックを備えたＷＴＲＵ１０１を示している。プロトコルレイヤスタックは、以下のレイヤ、すなわち、無線リソース制御（ＲＲＣ）１０２、無線リンク制御（ＲＬＣ：ｒａｄｉｏ  ｌｉｎｋ  ｃｏｎｔｒｏｌ）１０３、ＭＡＣ（媒体アクセス制御（ｍｅｄｉｕｍ  ａｃｃｅｓｓ  ｃｏｎｔｒｏｌ））１０４、パケットデータコンバージェンスプロトコル（ＰＤＣＰ：ｐａｃｋｅｔ  ｄａｔａ  ｃｏｎｖｅｒｇｅｎｃｅ  ｐｒｏｔｏｃｏｌ）１０５、および物理（ＰＨＹ）レイヤ１０６を含む。これらのレイヤエンティティは、単一のプロセッサまたは別個のプロセッサとして実施することができる。ＷＴＲＵ１０１は、無線ダウンリンク信号１１１で、ｅＮＢ（進化型ノードＢ）１２１からシステムレベル情報を受信する。システムレベル情報は、システム情報ブロック（ＳＩＢ）を単位として定義することができ、各ＳＩＢ内のパラメータは、さらに詳しく説明される様々なプロセスのために、ＷＴＲＵ１０１によって使用される。パラメータは、情報要素（ＩＥ）のグループに分けることができ、それらは、例えば、他のレイヤエンティティの動作を制御するために、ＲＲＣ  １０２によって処理することができる。一例では、ＲＲＣ  １０２が、ＤＲＸパラメータを受信し、その後、ＤＲＸサイクルパラメータで指定された期間スリープするようＰＨＹ  １０６に命令することを含む。一般に、ＷＴＲＵ１０１は、システムレベル情報を受信して処理し、対応する動作を自律的に実行する。
【００１２】
システムレベル情報を有するＳＩＢを定義する第１の例では、表１に示されるように、ＳＩＢ１（システム情報ブロック１）は、情報要素および関連情報によって定義することができる。図１ならびに本明細書に示されるすべての表に示されるＩＥの各々は、必要性基準に応じてＷＴＲＵ１０１に提供されるように定義することができ、必要性基準は、以下のもの、すなわち、必須、必須であってデフォルト値が利用可能、条件値に依存、または任意選択を含むが、それらに限定されない。
【００１３】
【表１】
0005856320.tif 000002
【００１４】
表１に示されるように、ＣＮ（コアネットワーク）ＩＥは、共通ＧＳＭ−ＭＡＰ（モバイルアプリケーションパート（ｍｏｂｉｌｅ  ａｐｐｌｉｃａｔｉｏｎ  ｐａｒｔ））  ＮＡＳ（非アクセス層（ｎｏｎ−ａｃｃｅｓｓ  ｓｔｒａｔｕｍ））システム情報と、ＰＳ（パケット交換（ｐａｃｋｅｔ  ｓｗｉｔｃｈｅｄ））ドメインのためのドメインシステム情報とを含む。これらのＩＥは、サービングＣＮおよびドメインシステムについてＷＴＲＵ  １０１に通知する。ＬＴＥネットワークは、パケット交換（ＰＳ）ドメインにおいてのみ動作する。したがって、他のどのようなドメイン情報も維持する必要がない。ＰＳドメイン情報だけが通知されれば良い。
【００１５】
ＬＴＥ仕様では、ＤＲＸは、明示モード（ｅｘｐｌｉｃｉｔ  ｍｏｄｅ）と暗黙モード（ｉｍｐｌｉｃｉｔ  ｍｏｄｅ）の両方で動作する。ＤＲＸパラメータは、各動作モードに固有のＤＲＸパラメータを伝送できる２つのＩＥによって通知することができる。ＩＥは、ＤＲＸ明示モードパラメータとＤＲＸ暗黙モードパラメータの両方を伝送することができる。これらのＩＥは、ドメインシステム情報を用いて通知することができ、または例えばＲＲＣ＿Ｃｏｎｎｅｃｔｉｏｎ＿Ｃｏｍｍａｎｄメッセージなど、別のメッセージを用いて送信することができる。
【００１６】
図２は、１組の連続するＤＲＸ信号サイクルを示す図である。ＤＲＸ信号サイクルにおいて、ＷＴＲＵ１０１は、アクティブ期間と、その残りのＤＲＸサイクルであるスリープ期間とを有し、スリープ期間によって、ＷＴＲＵ１０１はバッテリ消費を低減することができる。ＤＲＸサイクルを定義するための可変ＤＲＸパラメータは、ＤＲＸサイクル開始時間と、アクティブ期間長と、ＤＲＸサイクル長である。ＬＴＥアイドルモードの場合、ＷＴＲＵ１０１は、アクティブ期間の間だけシステム呼出を監視する。ＬＴＥアクティブモードまたはＲＲＣ接続モードの場合、ＷＴＲＵ１０１は、アクティブ期間の間だけデータを受信する。例えば、貧弱なチャネル状態を克服するため、またはＬＴＥアイドルモードからＬＴＥアクティブモードへの遷移時にデータ受信量を増加させるために、ＤＲＸパラメータに対する調整が必要になることがある。ＤＲＸ構成のため、ＷＴＲＵ１０１がＬＴＥアクティブモードにある場合、ネットワークは、ＬＴＥアイドルモードにあるＷＴＲＵ１０１と同じまたは異なるパラメータを通知することができる。また、ネットワークは、パラメータをグループ化し、ＤＲＸプロファイルＩＤ（識別子）を用いてグループを識別することができる。これは、ネットワークが、特定のプロファイルを使用するようにＷＴＲＵ１０１に通知することを可能にする。ＷＴＲＵ１０１によって受信される信号は、ＲＲＣまたはＭＡＣシグナリングを介することができ、図２に示されるように、ＤＲＸサイクル開始時間を提供することができる。
【００１７】
表２は、ＬＴＥアイドルモードおよびＬＴＥアクティブモードのＤＲＸ構成ＩＥと、この実施形態のための関連パラメータの一例を示している。ＷＴＲＵ１０１は、それらを受信して処理するように構成される。ＬＴＥアイドルモードにおけるＣＮ  ＤＲＸサイクル期間長のためのＩＥは、ＷＴＲＵ１０１がアイドルモードにおいて呼出を受信するときに使用するＤＲＸサイクル全体の長さを示す。ＬＴＥアクティブモードパラメータのためのＩＥは、ＬＴＥアクティブモードがアイドルモードパラメータと同じか、それともアイドルモードパラメータと異なるかを、ＷＴＲＵ１０１に通知する。異なる場合、ネットワークは、その後、異なる１組のアクティブモードパラメータを指定することができる。ＷＴＲＵ１０１がＤＲＸサイクルに同期することを可能にするため、ＤＲＸサイクル開始時間のためのＩＥが定義される。この例では、セルシステムフレーム番号（ＳＦＮ：ｓｙｓｔｅｍ  ｆｒａｍｅ  ｎｕｍｂｅｒ）が、ＤＲＸサイクル開始時間のための基準として使用される。利用されるＤＲＸシグナリング方法のタイプを示すために、選択ＩＥであるシグナリング方法選択が、ネットワークによって定義され、ＷＴＲＵ１０１によって受信され、そのタイプは、表３および表４に関して後でさらに詳しく説明されるように、明示タイプまたは暗黙タイプである。
【００１８】
【表２】
0005856320.tif 000003
【００１９】
表３は、明示的ＤＲＸシグナリングにおいて使用される情報要素の例示的な構成の概要を示している。選択ＩＥとして、ＤＲＸ構成モードは、完全構成（Full Configuration）モードまたは事前定義構成（Predefined configuration）モードを指示することができる。完全構成モードの場合、ネットワークは、ＤＲＸパラメータのすべてをＷＴＲＵ１０１に提供する。事前定義構成モードでは、ＷＴＲＵ１０１は、ネットワークによって事前定義されたデフォルトＤＲＸパラメータを使用する。ＤＲＸプロファイルＩＤ情報要素は、異なるＤＲＸプロファイルを定義するために使用することができ、異なるＤＲＸプロファイルは、３ＧＰＰハンドオーバまたは非３ＧＲＲハンドオーバを含む様々な手順中に、ＤＲＸ長および他のパラメータを変更するために使用することができる。
【００２０】
【表３】
0005856320.tif 000004
【００２１】
表４は、暗黙的ＤＲＸシグナリングにおいて使用される情報要素の例示的な構成の概要を示している。表４に示されているように、暗黙的ＤＲＸ状態および遷移リストは、ＷＴＲＵ１０１へのシグナリングにおいて、ＤＲＸ状態の最大数当たり１つの、多数のインスタンスを有することができる。上で説明された明示的ＤＲＸと同様に、事前構成または完全構成のいずれかのＤＲＸ構成モードのために、選択ＩＥが存在する。完全構成モードのもとでは、トリガ機構ＩＥのトリガアップ１、トリガダウン１、およびトリガダウン２が定義される。トリガアップ１  ＩＥは、ＷＴＲＵ１０１が隣の上位レベルＤＲＸ状態（すなわちより長いＤＲＸサイクル）に移動することを表す。トリガダウン１  ＩＥは、ＷＴＲＵ  １０１が隣の下位レベルＤＲＸ状態（すなわちより短いＤＲＸサイクル）に移動することを表す。トリガダウン２  ＩＥの場合、ＷＴＲＵ１０１は、最短ＤＲＸサイクルであるレベル１に移動するトリガ機構を受信する。これらのトリガＩＥの各々について、トリガリング機構の選択ＩＥは、表５に要約されたような、タイマまたは測定イベントを含む。タイマトリガ機構が適用される場合、タイマ値ＩＥである暗黙的ＤＲＸトリガリングタイマを含むことができる。測定イベントトリガの場合、トラフィック量測定イベントおよび／または周波数間、周波数内、ＲＡＴ間、ＲＡＴ内測定イベントに基づいた、暗黙的ＤＲＸトリガリングイベントＩＥを含むことができ、測定イベントのために使用される閾値のためのＩＥも含むことができる。
【００２２】
【表４】
0005856320.tif 000005
【００２３】
【表５】
0005856320.tif 000006
【００２４】
【表６】
0005856320.tif 000007
【００２５】
ＤＲＸサイクルを定義するためにＷＴＲＵ１０１に提供される付加的なＩＥは、ＤＲＸサイクル長と、アクティブ期間長と、アクティブ期間位置と、アクティブ期間開始サブフレームを含むことができる。ＤＲＸサイクル長ＩＥの場合、パラメータは、ＬＴＥアクティブモードのためのＤＲＸサイクル長をシステムフレーム単位で表し、このＤＲＸパラメータがＬＴＥアイドルモードパラメータと異なるかどうかを表す。アクティブ期間長ＩＥは、ＬＴＥアクティブモードのためのアクティブデューティサイクル長をサブフレーム単位で表し、パラメータがＬＴＥアイドルモードパラメータと異なるかどうかを表す。アクティブ期間位置ＩＥは、アクティブデューティ期間がＤＲＸサイクルの最初にあるか、それとも最後にあるかを表し、パラメータがＬＴＥアイドルモードパラメータと異なるかどうかを表す。アクティブ期間がフレーム境界で開始しない場合、アクティブ期間開始サブフレームＩＥは、アクティブ期間が開始するサブフレーム番号を提供する。
【００２６】
別の実施形態では、セル選択および再選択のためのパラメータが定義され、例えばＳＩＢ３で、または３ＧＰＰ仕様で定義された他のＳＩＢの１つで送信される。これらのパラメータを受信して処理すると、ＷＴＲＵ１０１は、セル選択／再選択動作を自律的に実行する。表６および表７は、セル選択および再選択パラメータを含むＩＥの構成例の概要を示している。
【００２７】
【表７】
0005856320.tif 000008
【００２８】
【表８】
0005856320.tif 000009
【００２９】
表６に見られるように、禁止表現（ｂａｒｒｉｎｇ  ｒｅｐｒｅｓｅｎｔａｔｉｏｎ）のための選択ＩＥの場合、「アクセス制限パラメータリスト」ＩＥまたは「すべてに対するアクセス制限パラメータ」ＩＥが選択される。「アクセス制限パラメータリスト」ＩＥが適用される場合、それぞれの公衆陸上モバイルネットワーク（ＰＬＭＮ：ｐｕｂｌｉｃ  ｌａｎｄ  ｍｏｂｉｌｅ  ｎｅｔｗｏｒｋ）に割り当てられたＷＴＲＵのためのアクセス制限パラメータを指定するために多数のＩＥが利用可能であり、ＰＬＭＮは、ＭＩＢ（マスタ情報ブロック（ｍａｓｔｅｒ  ｉｎｆｏｒｍａｔｉｏｎ  ｂｌｏｃｋ））の「重複ＰＬＭＮリスト」ＩＥの「重複ＰＬＭＮ」ＩＥで識別される。「代替的なすべてに対するアクセス制限パラメータ」ＩＥが選択された場合、１組の共通アクセス制限パラメータがＷＴＲＵ  １０１に示され、それは、「重複ＰＬＭＮ」ＩＥのうちのすべてのＰＬＭＮに適用される。１つのＰＳドメインが存在するので、ＣＳドメインのためのパラメータは指定されない。
【００３０】
表７に示されるように、ＷＴＲＵ１０１は、ＲＳＲＰおよび／またはＲＳＲＱに基づいたセル選択および再選択品質測定のためのＩＥ、選択候補セルのＲＡＴ（無線アクセス技術）のためのＩＥ、ならびに再選択時間パラメータを表すＴｒｅｓｌｅｃｔｉｏｎ  ＩＥを受信することができる。Ｑｈｙｓｔ  ＩＥに関して、ＷＴＲＵ１０１は、以下のスケーリングファクタ、すなわち、速度依存スケーリングファクタ、周波数間速度依存スケーリングファクタ、およびＲＡＴ間速度依存スケーリングファクタを表すＩＥを受信することができる。ＷＴＲＵ１０１は、ネットワークによって再選択を禁じられた近隣セルのリストを表す近隣セルブラックリストＩＥを受信することができる。
【００３１】
ＷＴＲＵ  １０１は、セル選択／再選択のために受信信号測定を行う前に、ＵＴＲＡＮセルまたはＧＥＲＡＮセルの最小信号電力をそれぞれ表すＵＴＲＡＮ＿ｍｉｎ  ＩＥまたはＧＥＲＡＮ＿Ｍｉｎを受信して処理することができる。ＷＴＲＵ１０１は、バイアスセル測定を表すＱｏｆｆｓｅｔ１  ＩＥおよびＱｏｆｆｓｅｔ２  ＩＥを受信することができる。
【００３２】
【表９】
0005856320.tif 000010
【００３３】
【表１０】
0005856320.tif 000011
【００３４】
【表１１】
0005856320.tif 000012
【００３５】
【表１２】
0005856320.tif 000013
【００３６】
【表１３】
0005856320.tif 000014
【００３７】
【表１４】
0005856320.tif 000015
【００３８】
【表１５】
0005856320.tif 000016
【００３９】
別の実施形態では、ＲＡＣＨ動作を自律的に実行するためにＷＴＲＵ１０１によって受信され処理される、ＰＨＹランダムアクセスチャネル（ＰＲＡＣＨ）のためのシステムレベル情報が、ＩＥ内のパラメータによって定義され、ＳＩＢ５または別の３ＧＰＰ指定ＳＩＢに含められる。表８〜表１０は、そのようなＩＥおよび関連情報の構成例の概要を示している。
【００４０】
表８に示されるように、ＰＲＡＣＨシステム情報ＩＥは、１からＰＲＡＣＨ最大数までの多数のインスタンスを有して含まれることができる。ＲＡＣＨのためのＰＲＡＣＨ情報ＩＥは、表９に要約された複数のＩＥを含む。ＲＡＣＨ非専用シグネチャＩＥは、ＷＴＲＵ  １０１に割り当てられた専用シグネチャおよび非専用シグネチャを表し、表１０に要約された複数のＩＥを含む。ＲＡＣＨ応答ウィンドウＩＥは、ＷＴＲＵ１０１に送信される多数のＲＡＣＨ応答がその間に受信されるサブフレームの数に関して、ＷＴＲＵ１０１に通知を行う。ＰＨＹダウンリンク制御チャネル（ＰＤＣＣＨ：ＰＨＹ  ｄｏｗｎｌｉｎｋ  ｃｏｎｔｒｏｌ  ｃｈａｎｎｅｌ））情報ＩＥである「ＰＤＣＣＨ情報」は、ＰＲＡＣＨのためのＰＤＣＣＨパラメータをＷＴＲＵ１０１に提供し、表１２に要約されたＩＥを含む。表１１に要約されたＩＥを含む、ＲＡ−ＲＮＴＩ（ルーティング領域−無線ネットワーク一時識別（ｒｏｕｔｉｎｇ  ａｒｅａ−ｒａｄｉｏ  ｎｅｔｗｏｒｋ  ｔｅｍｐｏｒａｒｙ  ｉｄｅｎｔｉｆｉｃａｔｉｏｎ））リストＩＥは、ルーティング領域のためのＲＮＴＩ情報をＷＴＲＵ１０１に提供する。
【００４１】
【表１６】
0005856320.tif 000017
【００４２】
表９に示されるように、ＷＴＲＵ１０１は、周波数分割複信（ＦＤＤ：ｆｒｅｑｕｅｎｃｙ  ｄｉｖｉｓｉｏｎ  ｄｕｐｌｅｘ）動作および時分割複信（ＴＤＤ：ｔｉｍｅ  ｄｉｖｉｓｉｏｎ  ｄｕｐｌｅｘ）動作のためのＰＲＡＣＨ情報パラメータを受信する。ＦＤＤの場合、ＷＴＲＵ１０１は、搬送波帯域幅の最低周波数端から開始する範囲内にある整数値を表す、ＰＲＡＣＨ周波数位置ＩＥを受信することができる。代替として、整数値は、搬送波周波数の中央に中心をおく負値と正値の間の範囲をとることができる。ＷＴＲＵ  １０１によって受信されるさらなるパラメータは、ＰＲＡＣＨバーストタイプＩＥ（例えば、通常、拡張、または反復バーストタイプ）、および使用中のターボ符号（ｔｕｒｂｏ  ｃｏｄｅ）を識別するためのチャネル符号化パラメータＩＥを含む。ＴＤＤの場合、ＷＴＲＵ１０１は、ＰＲＡＣＨフレーム構造タイプＩＥ、および例えば通常または拡張バーストタイプを表すＰＲＡＣＨバーストタイプＩＥを受信することができる。
【００４３】
【表１７】
0005856320.tif 000018
【００４４】
表１０に示されるように、ＷＴＲＵ１０１は、専用ＲＡＣＨシグネチャのためのグループＧ１、連続もしくはビットマップ非専用（ｃｏｎｓｅｃｕｔｉｖｅ  ｏｒ  ｂｉｔ−ｍａｐｐｅｄ  ｎｏｎ−ｄｅｄｉｃａｔｅｄ）ＲＡＣＨシグネチャのためのグループＧ２、またはスモールメッセージ連続もしくはビットマップ非専用（ｓｍａｌｌ  ｍｅｓｓａｇｅ  ｃｏｎｓｅｃｕｔｉｖｅ  ｏｒ  ｂｉｔ−ｍａｐｐｅｄ  ｎｏｎ−ｄｅｄｉｃａｔｅｄ）ＲＡＣＨシグネチャのためのグループＧ３に従って定義された、１組のＲＡＣＨパラメータを受信することができる。各ＲＡＣＨチャネルは一般に、その生成／導出が３ＧＰＰ規格で規定された、巡回Ｚ−Ｃ符号（ｃｙｃｌｉｃａｌ  Ｚ−Ｃ  ｃｏｄｅ）の６４個のランダムアクセスシグネチャを有する。システム情報の場合、シグネチャは、そのインデックス（０，．．．，６３）によって識別することができる。
【００４５】
シグネチャインデックスの観点からシグネチャがすべて連続的であるランダムアクセスシグネチャグループの場合、ランダムアクセスシグネチャグループは、［開始インデックスａ，範囲］によって定義することができる。その場合、シグネチャは連続的であるので、ＷＴＲＵ  １０１は、定義されたグループ内のシグネチャを知っており、それらを選択する。例えば、ＷＴＲＵ  １０１は、利用可能専用シグネチャＧ１  ＩＥ、値８を有するシグネチャの数ＩＥ、および値８を有する開始シグネチャインデックスＩＥを受信し、その場合、ＷＴＲＵ１０１は、ＲＡＣＨシグネチャグループが［８−１５］であることを導出することができる。
【００４６】
しかし、グループ内のランダムアクセスシグネチャが連続的でない場合、上で説明されたシグネチャインデックスマッピングＩＥは、シグネチャマップＩＥとして表１０に示される、代替的なビットマップシグネチャインデックスによって置き換えられる。ビットマップシグネチャマッピングの場合、ＷＴＲＵ１０１は、事前定義されたシグネチャマップに従ってランダムアクセスシグネチャグループ内の１組の利用可能なシグネチャを表すビット列を受信する。シグネチャマップＩＥは、６４ビットを有する、または最初の開始インデックスａおよび範囲内の後続するビットマップを有するビットマップを使用する。
【００４７】
【表１８】
0005856320.tif 000019
【００４８】
【表１９】
0005856320.tif 000020
【００４９】
【表２０】
0005856320.tif 000021
【００５０】
上で言及されたＳＩＢ以外では、ＬＴＥネットワークは、別のＲＡＴ（３ＧＰＰまたは非３ＧＰＰ）からＬＴＥへのハンドオーバ中にＬＴＥシステムに入るときに、ＷＴＲＵ１０１が読み取って使用することができる、いくつかの構成パラメータを伝送できる、ＳＩＢ１６メッセージも送信することができる。代替として、ＬＴＥシステムは、ＬＴＥから他のＲＡＴ（３ＧＰＰまたは非３ＧＰＰ）へのハンドオーバ中に非３ＧＰＰ  ＲＡＴに適用可能なパラメータを伝送する、ＳＩＢ１６メッセージまたは他の何らかの類似した専用ＲＲＣメッセージを送信することができる。そのようなメッセージは、ハンドオーバ手順の直前に、ＬＴＥシステムにおそらく伝送することができる。このＳＩＢ１６は、言及されたＤＲＸパラメータのいくつかのようなパラメータ、いくつかのＲＡＣＨおよび再選択パラメータ、ならびにＷＴＲＵ１０１にシステムについての何らかの知識を与えることができる他の任意の物理層パラメータの組合せを含むことができる
実施形態
１．無線送受信ユニット（ＷＴＲＵ）によって実施されるシステムレベル情報を処理する方法であって、
ＷＴＲＵの間欠受信（ＤＲＸ）動作モードのための情報要素（ＩＥ）として定義される複数のパラメータとしてシステムレベル情報を受信するステップと、
ＤＲＸ動作を自律的に実行するために受信パラメータを処理するステップと
を含む方法。
【００５１】
２．ＤＲＸ暗黙モード情報を有するＩＥを受信するステップをさらに含む実施形態１に記載の方法。
【００５２】
３．ＤＲＸ明示モード情報を有するＩＥを受信するステップをさらに含む先行する実施形態のいずれかに記載の方法。
【００５３】
４．ドメインシステムＩＥを受信するステップをさらに含む先行する実施形態のいずれかに記載の方法。
【００５４】
５．ＤＲＸプロファイル識別子ＩＥを受信するステップをさらに含む先行する実施形態のいずれかに記載の方法。
【００５５】
６．コアネットワーク（ＣＮ）サイクル期間長ＩＥを受信するステップをさらに含む先行する実施形態のいずれかに記載の方法。
【００５６】
７．ＤＲＸサイクル時間ＩＥを受信するステップをさらに含む先行する実施形態のいずれかに記載の方法。
【００５７】
８．ＤＲＸサイクル長ＩＥを受信するステップをさらに含む先行する実施形態のいずれかに記載の方法。
【００５８】
９．アクティブデューティサイクル長ＩＥを受信するステップをさらに含む先行する実施形態のいずれかに記載の方法。
【００５９】
１０．アクティブデューティ期間のためのＤＲＸサイクル位置ＩＥを受信するステップをさらに含む先行する実施形態のいずれかに記載の方法。
【００６０】
１１．ＤＲＸアクティブ期間の開始のためのサブフレーム番号ＩＥを受信するステップをさらに含む先行する実施形態のいずれかに記載の方法。
【００６１】
１２．ＤＲＸプロファイルＩＤ  ＩＥを受信するステップをさらに含む先行する実施形態のいずれかに記載の方法。
【００６２】
１３．ＤＲＸ情報は、暗黙的ＤＲＸ遷移ライフスパンを含む先行する実施形態のいずれかに記載の方法。
【００６３】
１４．ＤＲＸ情報は、コアネットワークＤＲＸプロファイルＩＤを含む先行する実施形態のいずれかに記載の方法。
【００６４】
１５．ＤＲＸ情報は、トリガアップ機構を含む先行する実施形態のいずれかに記載の方法。
【００６５】
１６．ＤＲＸ情報は、トリガダウン機構を含む先行する実施形態のいずれかに記載の方法。
【００６６】
１７．ＤＲＸ情報は、サブフレームによって測定されるＤＲＸサイクル長およびアクティブデューティサイクル長を含む先行する実施形態のいずれかに記載の方法。
【００６７】
１８．システム情報ブロック内のＩＥを受信するステップをさらに含む先行する実施形態のいずれかに記載の方法。
【００６８】
１９．ＳＩＢは、パケット交換ドメイン固有のアクセス制限パラメータを含む先行する実施形態のいずれかに記載の方法。
【００６９】
２０．無線送受信ユニット（ＷＴＲＵ）によって実施されるシステムレベル情報を処理する方法であって、
ＷＴＲＵのセル選択動作モードのための情報要素（ＩＥ）として定義される複数のパラメータとしてシステムレベル情報を受信するステップと、
セル選択動作を自律的に実行するために受信パラメータを処理するステップと、
を備える方法。
【００７０】
２１．ＩＥは、セル選択品質測定を含む実施形態２０に記載の方法。
【００７１】
２２．ＩＥは、ＲＡＴ識別情報を含む実施形態２０〜２１のいずれかに記載の方法。
【００７２】
２３．ＩＥは、ＷＴＲＵがセル測定を開始する閾値としての最小受信信号電力についての情報を含む実施形態２０〜２２のいずれかに記載の方法。
【００７３】
２４．ＩＥは、セル測定を実行するためのバイアス値情報を含む実施形態２０〜２３のいずれかに記載の方法。
【００７４】
２５．バイアス値情報は、セル負荷に基づく実施形態２０〜２４のいずれかに記載の方法。
【００７５】
２６．ＩＥは、アイドルモードにおいてＷＴＲＵが２つの連続測定の間に維持する時間値パラメータを含む実施形態２０〜２５のいずれかに記載の方法。
【００７６】
２７．ＩＥは、好ましいＲＡＴ選択についての優先順位情報を含む実施形態２０〜２６のいずれかに記載の方法。
【００７７】
２８．無線送受信ユニット（ＷＴＲＵ）によって実施されるシステムレベル情報を処理する方法であって、
ＷＴＲＵの物理ランダムアクセスチャネル（ＰＲＡＣＨ）動作モードのための情報要素（ＩＥ）として定義される複数のパラメータとしてシステムレベル情報を受信するステップと、
ＰＲＡＣＨ動作を自律的に実行するために受信パラメータを処理するステップと
を備える方法。
【００７８】
２９．ＩＥは、ＰＲＡＣＨシステム情報を含む実施形態２８に記載の方法。
【００７９】
３０．ＰＲＡＣＨシステム情報は、ＷＴＲＵに送信される多数の応答がその間にわたって非専用シグネチャによって受信されるＲＡＣＨ応答ウィンドウ値を含む実施形態２８〜２９に記載の方法。
【００８０】
３１．ＰＲＡＣＨシステム情報は、ＰＤＣＣＨ情報およびＲＡ−ＲＮＴＩ情報を含む実施形態２８〜３０に記載の方法。
【００８１】
３２．ＰＲＡＣＨシステム情報は、ＰＲＡＣＨ周波数位置情報、ＰＲＡＣＨバーストタイプ情報、およびチャネル符号化パラメータのうちの少なくとも１つを含む実施形態２８〜３１に記載の方法。
【００８２】
３３．ＰＲＡＣＨシステム情報は、ＰＲＡＣＨバーストタイプパラメータおよびＰＲＡＣＨフレーム構造パラメータのうちの少なくとも一方を含む実施形態２８〜３２に記載の方法。
【００８３】
３４．ＩＥは、ＲＡＣＨ非専用プリアンブルおよびシグネチャ情報を含む実施形態２８〜３３に記載の方法。
【００８４】
３５．ＲＡＣＨ非専用プリアンブルおよびシグネチャ情報は、以下のパラメータ、すなわち、シグネチャの数、開始シグネチャインデックス、シグネチャマップのうちの少なくとも１つを含む実施形態２８〜３４に記載の方法。
【００８５】
３６．ＩＥは、ＲＡＣＨ専用プリアンブルおよびシグネチャ情報を含む実施形態２８〜３５に記載の方法。
【００８６】
３７．ＲＡＣＨ専用プリアンブルおよびシグネチャ情報は、以下のパラメータ、すなわち、シグネチャの数、開始シグネチャインデックスのうちの少なくとも一方を含む実施形態２８〜３６に記載の方法。
【００８７】
３８．ＲＡ−ＲＮＴＩ情報は、以下のパラメータ、すなわち、ＲＡ−ＲＮＴＩ符号、バースト開始サブフレーム番号、および次バースト間隔のうちの少なくとも１つを含む実施形態３１に記載の方法。
【００８８】
３９．ＰＤＣＣＨ情報は、以下のパラメータ、すなわち、ＰＤＣＣＨフォーマットおよびＰＤＣＣＨスクランブリング符号のうちの少なくとも一方を含む実施形態３１に記載の方法。
【００８９】
４０．無線送受信ユニット（ＷＴＲＵ）であって、
ＷＴＲＵの間欠受信（ＤＲＸ）動作モードのための情報要素（ＩＥ）として定義される複数のパラメータとしてシステムレベル情報を受信するように構成され、ＤＲＸ動作を自律的に実行するために受信パラメータを処理するようにさらに構成されるプロセッサ
を備えたＷＴＲＵ。
【００９０】
４１．無線送受信ユニット（ＷＴＲＵ）であって、
ＷＴＲＵのセル選択動作モードのための情報要素（ＩＥ）として定義される複数のパラメータとしてシステムレベル情報を受信するように構成され、セル選択動作を自律的に実行するために受信パラメータを処理するようにさらに構成されるプロセッサ
を備えたＷＴＲＵ。
【００９１】
４２．無線送受信ユニット（ＷＴＲＵ）であって、
ＷＴＲＵのＰＲＡＣＨ動作モードのための情報要素（ＩＥ）として定義される複数のパラメータとしてシステムレベル情報を受信するように構成され、ＰＲＡＣＨ動作を自律的に実行するために受信パラメータを処理するようにさらに構成されるプロセッサ
を備えたＷＴＲＵ。
【００９２】
上では特徴および構成要素が特定の組合せで説明されたが、各特徴または構成要素は、他の特徴および構成要素を伴わずに単独で使用することができ、または他の特徴および構成要素を伴うもしくは伴わない様々な組合せで使用することができる。本明細書で提供された方法またはフローチャートは、汎用コンピュータまたはプロセッサによって実行される、コンピュータ読取り可能記憶媒体に含まれるコンピュータプログラム、ソフトウェア、またはファームウェアで実施することができる。コンピュータ読取り可能記憶媒体の例は、ＲＯＭ（リードオンリメモリ）、ＲＡＭ（ランダムアクセスメモリ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびＤＶＤ（デジタル多用途ディスク）などの光媒体を含む。
【００９３】
適切なプロセッサは、例を挙げれば、汎用プロセッサ、専用プロセッサ、従来型プロセッサ、デジタル信号プロセッサ（ＤＳＰ）、複数のマイクロプロセッサ、ＤＳＰコアと連携する１つもしくは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、ならびに／または状態機械を含む。
【００９４】
ソフトウェアと連携するプロセッサは、無線送受信ユニット（ＷＴＲＵ）、ユーザ機器（ＵＥ）、端末、基地局、無線ネットワークコントローラ（ＲＮＣ）、または任意のホストコンピュータにおいて使用される無線周波数トランシーバを実施するために使用することができる。ＷＴＲＵは、カメラ、ビデオカメラモジュール、ビデオフォン、スピーカフォン、バイブレーションデバイス、スピーカ、マイクロフォン、テレビトランシーバ、ハンズフリーヘッドセット、キーボード、Ｂｌｕｅｔｏｏｔｈ（登録商標）モジュール、ＦＭ（周波数変調）ラジオユニット、ＬＣＤ（液晶表示）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意の無線ＬＡＮもしくはＵＷＢ（超広帯域）モジュールなど、ハードウェアおよび／またはソフトウェアで実施されるモジュールと併せて使用することができる。
【産業上の利用可能性】
【００９５】
本発明は、一般的に無線通信システムに利用することができる。
【符号の説明】
【００９６】
１０１  ＷＴＲＵ
１０２  ＲＲＣ
１０３  ＲＬＣレイヤ
１０４  ＭＡＣレイヤ
１０６  ＰＨＹレイヤ
１２１  ｅノートＢ
【図１】
0005856320.tif 000022
【図２】
0005856320.tif 000023